(57)【要約】【課題】内びんの折返し部によって二重びんに飲み口を形成する飲料容器において、内びんの腐食を避ける。【解決手段】内びん１の下部から折返し部６の先端縁９まで一体に形成された内胴部材７を採用することにより、内びん１の内壁面に存在する全周溶接を一箇所以下に抑える。折返し部６の内周との嵌合部１９から下方に向かって拡径する段部２０を有する外びん２の採用により、折返し部６の嵌合を容易化すると共に、折返し部６と嵌合部１９の全周溶接個所と外びん２との平滑化を図る。さらに、当該全周溶接個所を研磨することにより、折返し部６に下唇を付けた際の接触感をより良好にする。【選択図】図１
2016093336.tif 000002
【特許請求の範囲】
【請求項１】
金属製の内びん及び外びんを有する二重びんを備える飲料容器において、
前記内びんが、当該内びんの口部から径方向外側へ全周に亘って下方に向くように折り返された折返し部を有し、前記折返し部が飲み口になっており、
前記内びんが、当該内びんの下部から前記折返し部の先端縁まで一体に形成された内胴部材を含むことを特徴とする飲料容器。
【請求項２】
前記外びんが、前記折返し部の内周に嵌合する嵌合部を有し、前記折返し部と前記嵌合部とが全周溶接されている請求項１に記載の飲料容器。
【請求項３】
前記外びんが、前記嵌合部から下方に向かって拡径する段部を有し、前記折返し部と前記嵌合部との溶接個所が研磨されている請求項２に記載の飲料容器。
【請求項４】
前記外びんが、前記嵌合部から上方に向かって縮径する口部を有し、
前記折返し部が、前記外びんの口部の上縁に対して径方向内側から径方向外側まで折り返されている請求項１から３のいずれか１項に記載の飲料容器。
【発明の詳細な説明】
【技術分野】
【０００１】
この発明は、飲料容器に関し、特に、飲料を収容する二重びんに設けられる飲み口に関する。
【背景技術】
【０００２】
従来、金属製の内びん及び外びんを有する二重びんが飲料容器の分野で広く採用されている。内びん、外びんは、それぞれステンレス等の金属薄板を素材とした１又は複数の部材から構成されている。一般的な内びんは、全高に亘って外びんに収容された有底筒状体になっている。内びんの口部の外周と、外びんの口部の内周とが、上縁で全周溶接されている（いわゆる拝み溶接）。このような二重びんにおいては、外びんの口部の外周を飲み口とする場合、溶接された上縁に平滑加工が施される。それでも尚、唇に接触する上縁が薄板２枚分の鋭い部分なので、その口当たりは良好とは言い難い。
【０００３】
その改善策として、例えば下記特許文献１に開示される飲料容器は、飲み口部材を採用している。この飲み口部材は、上下方向に短い筒部の上縁から径方向外側へ全周に亘って下方に向くように折り返された折返し部と、当該筒部の下縁から径方向外側へ全周に亘って水平に向くように折り曲げられたフランジ部とを有する。内びんは、筒部材と、底部材と、飲み口部材とからなり、筒部材及び底部材間の全周溶接、並びに、飲み口部材の筒部の外周及び筒部材の内周間の全周溶接によって有底筒状体とされている。飲み口部材のフランジ部は、外びんと全周溶接されている。このように飲み口部材が接合されることにより、飲み口部材の筒部の内周は、内びんの口部となり、折返し部が飲み口となる。二重びんの内外に亘った折返し部は、鋭さを緩和させ、かつ溶接部を含まないため、口当たりが良好な飲み口となる。
【先行技術文献】
【特許文献】
【０００４】
【特許文献１】特開２０１４−２６１号公報
【発明の概要】
【発明が解決しようとする課題】
【０００５】
しかしながら、特許文献１の飲料容器は、飲料に触れる内びんの内壁において、飲み口部材と筒部材の全周溶接を行った際、溶接不良を生じさせる程ではないが、極微小なオーバラップやピットといった溶接欠陥が生じる可能性がある。このような溶接欠陥が生じた場合、頻繁にオーバラップ等の溶接欠陥のところへ飲料が入り込み、腐食を招く原因となり得る問題がある。
【０００６】
そこで、この発明が解決しようとする課題は、内びんの折返し部によって二重びんに飲み口を形成する飲料容器において、内びんの腐食を避けることにある。
【課題を解決するための手段】
【０００７】
上記の課題を解決するため、この発明は、金属製の内びん及び外びんを有する二重びんを備える飲料容器において、前記内びんが、当該内びんの口部から径方向外側へ全周に亘って下方に向くように折り返された折返し部を有し、前記折返し部が飲み口になっており、前記内びんが、当該内びんの下部から前記折返し部の先端縁まで一体に形成された内胴部材を含む構成とした。
この構成によれば、内びんの下部に及ぶ内胴部材に内びんの口部及び折返し部も一体に形成されているので、内びんの内壁面における全周溶接を一箇所以下に抑え、内びんの腐食を避けることができる。すなわち、下部の中でも内底を別体の内底部材とする場合、内びんの内壁面に存在する全周溶接は、底部材及び内胴部材間の一箇所のみで済ますことができる。また、内底をも内胴部材に一体に形成する場合、内びんの内壁面から全周溶接を無くすことができる。また、折返し部によって口と当接する部分がＲ形状となり、口当たりを滑らかにすることができる。
【０００８】
前記外びんが、前記折返し部の内周に嵌合する嵌合部を有し、前記折返し部と前記嵌合部とが全周溶接されていることが好ましい。
このようにすると、飲料容器の転倒時や落下時に他物体と衝突し易い飲み口付近において、嵌合部と折返し部とが重なった嵌合構造を作り、衝突時の変形を防止することができる。また、下唇を接触させるような位置に全周溶接部を配置する程度のコンパクトな折返し部にすることができる。
【０００９】
より好ましくは、前記外びんが、前記嵌合部から下方に向かって拡径する段部を有し、前記折返し部と前記嵌合部との溶接個所が研磨されているとよい。
このようにすると、嵌合部と折返し部の全周溶接部が嵌合部よりも大径な外びんの段部に連なるので、その全周溶接部と外びんとの平滑化され、下唇の接触感をより良好にすることができる。
【００１０】
また、前記外びんが、前記嵌合部から上方に向かって縮径する口部を有し、前記折返し部が、前記外びんの口部の上縁に対して径方向内側から径方向外側まで折り返されていることも好ましい。
このようにすると、折返し部を嵌合部に嵌合する際、折返し部の先端縁を外びんの口部の外周で径方向に案内することができる。また、折返し部が外びんの口部の上縁をＲ形状で半囲いしているので、当該上縁と折返し部が近接しており、飲料容器の落下時に折返し部が他物体に衝突した際、外びんの口部で折返し部の過大な変形を抑えることができる。
【発明の効果】
【００１１】
上述のように、この発明は、上記構成の採用により、内びんの下部に及ぶ内胴部材に内びんの口部及び折返し部も一体に形成されているので、内びんの内壁面における全周溶接を一箇所以下に抑え、内びんの腐食を避けることができる。
【図面の簡単な説明】
【００１２】
【図１】この発明の実施形態に係る飲料容器の側面一部分及び縦断面を示す全体構成図
【図２】図１の外びんの嵌合部及び段部の変更例を示す部分断面図
【発明を実施するための形態】
【００１３】
以下、この発明の一実施形態としての飲料容器を添付図面に基づいて説明する。この飲料容器は、図１に示すように、内びん１及び外びん２を有する二重びん３を備えるタンブラーとして構成されている。
【００１４】
内びん１は、飲料を入れる有底筒状体とされている。外びん２は、内びん１と共に断熱用空間４を形成する有底筒状体とされている。断熱用空間４は、真空になっている。すなわち、二重びん３は、真空二重びんになっている。
【００１５】
内びん１及び外びん２の素材は、金属である。一般的な素材として、ステンレス鋼製の薄板が挙げられる。
【００１６】
内びん１は、内びん１の口部５から径方向外側へ全周に亘って下方に向くように折り返された折返し部６を有する。この折返し部６は、内びん１に入れた飲料を摂取するための飲み口になっている。
【００１７】
折返し部６は、外びん２の口部１２の上縁１３に対して径方向内側から径方向外側までＲ形状に曲げられている。このＲ形状は、断面視で単一円弧状を成しており、折返し部６の上縁１１と、外びん２の口部１２の上縁１３とが上下に並ぶように設定されている。
【００１８】
内びん１は、上下両方に開放された筒状の内胴部材７と、内胴部材７の下側の筒口部を閉じる皿状の内底部材８とによって構成されている。
【００１９】
内びん１の口部５は、内胴部材７の上側の筒口部からなる。内胴部材７は、内びん１の下部から折返し部６の先端縁９まで一体に形成された部材になっている。内びん１の下部は、内びん１の全高の下半分を成す部分である。内びん１の全高は、内胴部材７と共に有底筒状を成している内底壁の最低点１０から折返し部６の上縁１１までの高さである。内びん１の下部においては、外径の変化が殆どなく、成形の都合上、複数の部材に分けて製造し、全周溶接で接合することが必須でない。
【００２０】
内胴部材７のうち、折返し部６よりも低い部分は、下方に向かって次第に縮径しており、折返し部６の下方に存在しない。これは、二重びん３を把持する際の滑り止めに好適な形状の外びん２としつつ、断熱用空間４の径方向幅を不必要な拡大を避けて内びん１の飲料容量を大きくするためである。
【００２１】
内胴部材７は、内胴部材７の下側の筒口部から径方向外側に曲げられたフランジ部１４を有する。内底部材８は、フランジ部１４と上下に突き合わされる外曲げ部１５を有する。フランジ部１４と外曲げ部１５とが全周溶接されることによって、内胴部材７と内底部材８とが接合されている。
【００２２】
内底部材８にゲッター１６が取り付けられている。
【００２３】
内びん１の外周の大部分と、内びん１の径方向外側の大部分は、反射箔１７によって被覆されている。反射箔１７は、締付部材１８によって内びん１の外周に締め付けられている。
【００２４】
締付部材１８として、Ｃ形止め輪が採用されている。締付部材１８は、フランジ部１４と外曲げ部１５の全周溶接部に上方から掛かるように装着されている。このため、締付部材１８が重力方向にずれ動くことは、当該全周溶接部によって防止される。また、内びん１が締付部材１８の装着位置よりも上方で上広がり状になっているため、締付部材１８が上方にずれ動く範囲も自ずと制限される。
【００２５】
前記外びん２は、折返し部６の内周に嵌合する嵌合部１９と、嵌合部１９から下方に向かって拡径する段部２０とを有する。
【００２６】
外びん２は、上下両方に開放された筒状の外胴部材２１と、外胴部材２１の下側の筒口部を閉じる皿状の外底部材２２とによって構成されている。
【００２７】
外底部材２２の内周と外胴部材２１とが嵌合され、外底部材２２の上縁と外胴部材２１とが全周溶接されることによって、外底部材２２と外胴部材２１とが接合されている。
【００２８】
外底部材２２は、封止された排気口２３を有する。排気口２３は、断熱用空間４を真空引きする際に使用される。封止された排気口２３を覆い隠すための保護部材２４が、外びん２に接着されている。
【００２９】
外胴部材２１は、嵌合部１９及び段部２０を含んでいる。嵌合部１９に対する段部２０の拡径量は、折返し部６の先端縁９の板厚以上に設定されている。
【００３０】
外胴部材２１は、段部２０から下方に向かって次第に縮径している。これは、二重びん３を把持する際の滑り止めに好適な形状の外びん２とするためである。
【００３１】
外びん２の口部１２は、外胴部材２１の上側の筒口部からなる。外びん２の口部１２は、嵌合部１９から上方に向かって縮径する形状になっている。有底筒状の内びん１は、外びん２の口部１２から、外胴部材２２の内側へ挿入される。この際、内びん１が外胴部材２２に対して偏心していると、折返し部６の先端縁９が、外びん２の口部１２の縮径形状によって径方向に案内される。
【００３２】
このように嵌合された折返し部６と嵌合部１９とが全周溶接されることによって、内びん１と外胴部材２１とが接合されている。この溶接個所（拡大図中に黒塗で示す）は、折返し部６の先端縁９上に照射するレーザ溶接部になっている。
【００３３】
折返し部６と嵌合部１９とを接合する前述の溶接個所は、全周に亘って研磨されている。この研磨によって、全周に亘る溶接痕の盛り上りが除去され、平滑化がなされている。
【００３４】
この飲料容器は、上述のようなものであり、内びん１の下部に及ぶ内胴部材７に内びん１の口部５及び折返し部６も一体に形成されているので、内びん１の内壁面における全周溶接を内胴部材７と内底部材８の一箇所のみに抑え、内びん１の腐食を避けることができる。
【００３５】
なお、内底部材８に相当する部分が一体に形成された内胴部材を採用すれば、内びん１の内壁面から全周溶接を無くすことも可能である。
【００３６】
また、この飲料容器は、飲料容器の転倒時や落下時に他物体と衝突し易い飲み口（折返し部６）付近において、嵌合部１９と折返し部６とが重なった嵌合構造を作り、衝突時の変形を防止することができる。
【００３７】
また、この飲料容器は、折返し部６を嵌合部１９に嵌合する際、嵌合部１９から上方に向かって縮径する外びん２の口部１２によって、折返し部６の先端縁９を径方向に案内することができる。
【００３８】
外びん２の口部１２が嵌合部１９よりも縮径しているので、その上縁１３に対して径方向内側から径方向外側までＲ形状に曲げられた折返し部６を採用すると、嵌合部１９に嵌合された折返し部６のＲ形状部分によって、外びん２の口部１２の上縁１３が半囲いされる。その結果、折返し部６の上縁１１付近と、外びん２の口部１２の上縁１３とが、近接している。折返し部６の上縁１１付近は、飲料容器の落下時に他物体と衝突し易い部分となるが、その衝突部付近は、外びん２の口部１２によって支えられる。このため、この飲料容器は、飲料容器の落下時に折返し部６が他物体に衝突した際、外びん２の口部１２で折返し部６の過大な変形を抑えることができる。
【００３９】
なお、折返し部６のＲ形状部分と、外びん２の口部１２の上縁１３との間の近接間隔は、変形を抑える目的から１ｍｍ以下に設定することが好ましく、かつ、狭く設定し過ぎると寸法管理が困難になるので、０．５ｍｍ以上に設定することが好ましい。
【００４０】
また、この飲料容器は、嵌合部１９と折返し部６の全周溶接部が嵌合部１９よりも大径な外びん２の段部２０に連なるので、その全周溶接部の食み出しを抑えて外びん２との平滑化を図り、下唇を接触させるような位置に全周溶接部を配置する程度のコンパクトな折返し部６にすることができる。
【００４１】
また、この飲料容器は、折返し部６と嵌合部１９との溶接個所が研磨によって平滑化されているので、折返し部６に下唇を付けた際の接触感をより良好にすることができる。
【００４２】
特に、この飲料容器は、嵌合部１９に対する段部２０の拡径量が折返し部６の先端縁９の板厚以上になっているので、嵌合部１９に嵌合された折返し部６が段部２０よりも径方向外側に食み出ず、前述の研磨で削り落とす量を抑えることができる。
【００４３】
なお、嵌合部１９に対する段部２０の拡径量は、図２に例示するように、折返し部６の先端縁９の板厚未満にすることも可能である。この場合、平滑化が比較的困難になるので、段部２０及び折返し部６の先端縁９の位置をより下方に変更し、全周溶接部と下唇との接触を確実に防止可能なところに設定するとよい。
【００４４】
また、外びんが段部を有し、折返し部と嵌合部との溶接個所が研磨される場合について説明したが、研磨されなくてもよい。
【００４５】
また、折返し部が、外びんの口部の上縁に対して径方向内側から径方向外側までＲ形状に曲げられている場合について説明したが、Ｒ形状でなくてもよい。
【００４６】
この発明の技術的範囲は、上述の実施形態に限定されず、特許請求の範囲の記載に基づく技術的思想の範囲内での全ての変更を含むものである。
【符号の説明】
【００４７】
１  内びん
２  外びん
３  二重びん
４  断熱用空間
５  口部
６  折返し部
７  内胴部材
８  内底部材
９  先端縁
１２  口部
１３  上縁
１９  嵌合部
２０  段部
【図１】
2016093336.tif 000003
【図２】
2016093336.tif 000004